(57)【要約】【課題】胸の揺れを抑えるとともに、胸元の安定感と快適な着用感を両立することができるハーフトップの提供。【解決手段】互いに独立して設けられた左右のバスト部の間に、該バスト部の内側辺部に沿って配置され、正面下端部から所定の高さまでは１本に形成され、所定の高さで左右のバスト部の内側辺部に沿って二股に分岐し、そのまま左右一対のストラップもしくは後身頃へと延伸するＹ状連結部を備えたハーフトップ。【選択図】  図１
0003223516.tif 000002
【実用新案登録請求の範囲】
【請求項１】
互いに独立して設けられた左右のバスト部の間に、該バスト部の内側辺部に沿って配置され、正面下端部から所定の高さまでは１本に形成され、所定の高さで左右のバスト部の内側辺部に沿って二股に分岐し、そのまま左右一対のストラップもしくは後身頃へと延伸するＹ状連結部を備えたハーフトップ。
【請求項２】
前記バスト部は、乳房を被覆するカップ部と、カップ部以外の土台部が一体に形成されていることを特徴とする請求項１に記載のハーフトップ。
【請求項３】
前記バスト部は、内側辺部と袖袴部とにより形成される上端角部が鋭角になるように形成されていることを特徴とする請求項１または２に記載のハーフトップ。
【請求項４】
前記バスト部の上端角度とＹ状連結部の襟刳の角度の比率において、１：１．２〜１：１．５の範囲となるように形成されたことを特徴とする請求項１ないし３のいずれかに記載のハーフトップ。    
【請求項５】
前記カップ部の中心の位置が、前記バスト部の上端部から垂下する線よりも胸部の中央寄りとなるように形成したことを特徴とする請求項１ないし４のいずれかに記載のハーフトップ。
【請求項６】
前記バスト部の脇辺にはサイドボーンを設けたことを特徴とする請求項１ないし５のいずれかに記載のハーフトップ。
【考案の詳細な説明】
【技術分野】
【０００１】
本考案は、軽い運動時の着用に適し、胸の揺れを抑えるとともに、胸元の安定感と快適な着用感を両立したハーフトップに関する。
【背景技術】
【０００２】
従来、主に運動時に着用することを目的としたハーフトップとして種々のタイプのものがあるが、それらは、程度の差こそあれ、締め付け力により乳房の上下左右への揺れを防止するというものであった（特許文献１〜４）。
【０００３】
すなわち、これらのものは、乳房の揺れ防止の効果を優先しようとすると、締め付け力が強くなり、着用感が損なわれるおそれがある。逆に、着用感を優先すると、締め付け力も弱くなるため、乳房の揺れ防止効果が不十分となるおそれがあった。
【先行技術文献】
【特許文献】
【０００４】
【特許文献１】特開２０００−２２０００５
【特許文献２】特開２００９−１３３０２７
【特許文献３】特開２０１１−１７９１４４
【特許文献４】特許第２９３０９３２号
【考案の概要】
【考案が解決しようとする課題】
【０００５】
そこで本考案は、従来のハーフトップのかかる欠点を克服し、胸の揺れを抑えるとともに、胸元の安定感と快適な着用感を両立することができるハーフトップの提供を課題とするものである。
【課題を解決するための手段】
【０００６】
本考案は、上記課題を解決するものであり、互いに独立して設けられた左右のバスト部の間に、該バスト部の内側辺部に沿って配置され、正面下端部から所定の高さまでは１本に形成され、所定の高さで左右のバスト部の内側辺部に沿って二股に分岐し、そのまま左右一対のストラップもしくは後身頃へと延伸するＹ状連結部を備えたハーフトップである。
【０００７】
また本考案は、バスト部において、乳房を被覆するカップ部とカップ部以外の土台部が一体に形成されていることを特徴とするハーフトップである。
【０００８】
また本考案は、バスト部の内側辺部と袖袴部とにより形成される上端角部が鋭角になるように形成されていることを特徴とするハーフトップである。
【０００９】
また本考案は、バスト部の上端角度とＹ状連結部の襟刳の角度の比率において、１：１．２〜１：１．５の範囲となるように形成されたことを特徴とするハーフトップである。
【００１０】
また本考案は、カップ部の中心の位置が、前記バスト部の上端部から垂下する線よりも胸部の中央寄りとなるように形成したことを特徴とするハーフトップである。
【００１１】
さらに本考案は、バスト部の脇辺にはサイドボーンを設けことを特徴とするハーフトップである。
【考案の効果】
【００１２】
本考案にかかるハーフトップは、カップ部と土台部が一体に形成されたバスト部の上端角度と、Ｙ状連結部の襟刳角度の比率を一定の範囲とすることにより、Ｙ状連結部が効率的にカップ部に保持された乳房を上方へと引き上げ、軽い運動時でも胸の揺れを抑え、胸元の安定感と快適な着用感を両立することができる。
【００１３】
また、本考案にかかるハーフトップで、カップ部の中心の位置が、前記バスト部の上端部から垂下する線よりも胸部の中央寄りとなるように形成したものは、さらに乳房を中央に寄せることが可能となる。
【００１４】
また、本考案にかかるハーフトップで、バスト部の脇辺にはサイドボーンを設けたものは、乳房が脇へ流れることを防ぐことができる。  
【図面の簡単な説明】
【００１５】
【図１】本考案に係るハーフトップの正面図。
【図２】本考案に係るハーフトップの背面図。
【図３】本考案に係るハーフトップのバスト部およびＹ状連結部を裏側から表した図。
【図４】本考案に係るハーフトップのバスト部の構成を表す図。
【考案を実施するための形態】
【００１６】
以下、本考案のハーフトップの実施態様を、図面に基づいて具体的に説明する。なお、本考案はこれら実施態様に何ら制約されるものではない。
【００１７】
図１は本考案に係るハーフトップの正面図、図２は同背面図である。図に示すように、本考案に係るハーフトップは、胸部を被覆する左右一対のバスト部１と、バスト部１の両脇から背面を覆うように連接された後身頃３と、左右のバスト部１の間に略Ｙ字状に形成され、後身頃３から肩上へ延伸するストラップ４に連接されたＹ状連結部２とを備える。以下、各部について詳しく説明する。
【００１８】
本考案のバスト部１は、乳房を被覆するカップ部１０１と土台部１０２が一体に形成されたモールドカップ、その表側を被覆する身生地、および、その裏側（肌側）を被覆するメッシュ８からなる。バスト部１のカップ部１０１と土台部１０２とを構成するモールドカップは、伸縮性のあるウレタン製のストレッチモールドカップが好ましい。なお、かかるモールドカップは身生地で被覆する際、モールドカップを胸部の形状に沿うように湾曲させることが好ましい。  
【００１９】
バスト部１は、内側辺部１１が左右から胸部の中心方向へと膨出するように形成され、かかる膨出部から上部へ行くに従い横幅が漸次狭くなり、内側辺部１１と袖袴部１２で形成される上端角部が鋭角になるように形成されている点に特徴を有する。
【００２０】
左右のバスト部１は互いに独立しており、それらの間には、左右のバスト部１を連結するＹ状連結部２が設けられている。Ｙ状連結部２は、左右のバスト部１の内側辺部１１に設置され、正面下部はアンダー部５から開始して所定の高さまで１本に形成され、その後、所定の高さで左右のバスト部１の内側辺部１１に沿って二股に分岐する。分岐したＹ状連結部２は、さらに内側辺部１１に沿って延伸し、内側辺部１１が終了した時点からそのまま肩へと延伸し、その先端部においてストラップ４に接続されている。左右のバスト部１と該バスト部の内側辺部に沿って配置されたＹ状連結部２を連結する方法は特に限定されず、接着、縫着など従来公知の方法により達成される。
【００２１】
かかるＹ状連結部２は、ポリエステル繊維とポリウレタン弾性繊維からなる経編で形成され、一定の伸縮性を有するが、Ｙ状連結部２を構成する素材はこれに限定されない。また、Ｙ状連結部２は、２枚の生地をボンディングで表裏貼り合わせて形成することにより、着用時に違和感の原因となる縫い目がなくなるため、好ましい。
【００２２】
バスト部１の脇辺１３には、本実施態様のようにサイドボーン６を設けてもよい。かかるサイドボーン６を設けることにより、乳房が脇へ流れることを防ぐことができ、好ましい。かかるサイドボーン６を介して、背面を被覆するように後身頃３が連接されている。後身頃３は、その襟袴部３１および袖袴部３２の縁に沿って、所定の幅の生地をボンディングで貼り合わせることが好ましい。なお、これら後身頃３の襟刳部３１および袖刳部３２の縁、並びにＹ状連結部の他の部分についてもボンディングで貼り合わせてもよく、縫着してもよい。
【００２３】
後身頃３は、その上辺部の二箇所が上方へと突出し、かかる突出部に一対のストラップ４が縫着されている。ストラップ４は、その先端部においてＹ状連結部２に接続されている。さらに、その襟袴部４１および袖袴部４２の縁に沿って、所定の幅の生地をボンディングで貼り合わせることが好ましい。なお、本実施態様では、後身頃３とストラップ４は個別に設けているが、これを一体に連続して成形してもよい。
【００２４】
バスト部１およびＹ状連結部２は、その下辺の縁部にメッシュ生地を巻いて縫着したアンダー部５が設けられているが、かかるアンダー部５の代わりに、伸縮性を有するベルトを設けても良い。一方、後身頃３の下辺には、伸縮性を有するアンダーベルト７が設けられている。
【００２５】
バスト部１は、その内側辺部１１と袖袴部１２により形成される上端角部が鋭角になるように形成されている。具体的には、かかるバスト部１の上端角度θ１は５５〜７５度の範囲で形成することが好ましく、６０〜７０度の範囲で形成することがより好ましい。
【００２６】
また、Ｙ状連結部２の襟刳の角度θ２は、８０〜９０度の範囲で形成することが好ましく、さらに、バスト部１の上端角度θ１とＹ状連結部２の襟刳の角度θ２の比率において、１：１．２〜１：１．５の範囲となるように形成することが好ましい。なお、かかる角度θ１及び角度θ２は、平置きして計測した場合のものとする。
【００２７】
上述の通り、バスト部１の上端角度θ１とＹ状連結部２の襟刳の角度θ２と、それらの角度比を所定の範囲で形成することにより、Ｙ状連結部２の上方へと引き上げる力が効率的にバスト部１へと伝わり、これにより、カップにホールドされた乳房はより効果的に胸部の中央且つ上方へと引き上げられて、軽い運動時においても胸元が安定する。また、バスト部１の上端角度θ１とＹ状連結部２の襟刳の角度θ２と、それらの角度比を所定の範囲で形成することにより、袖袴部１２には補強布を設置してＹ字状連結部へつなげることなく乳房を保持でき、着用感の改善を図ることができる。さらに、バスト部１の内側辺部１１から上端にかけてＹ状連結部２で吊り上げるため、この他に吊り上げのための補強布等を設けなくても適切に乳房を保持することができる。
【００２８】
図４の一点破線で表された円形はカップ部１０１の輪郭を示し、その中心の点はカップ部の中心Ｐを示す。本発明のバスト部１は、カップ部１０１とその他の土台部１０２とが一体に形成されているが、図に示すように、カップ部１０１は実際の乳房の位置よりも胸部の中央側に寄せて設けることが好ましい。具体的には、カップ部１０１の中心Ｐの位置が、バスト部１の上端部から垂下する線Ｌ１よりも胸部の中央寄りとなるように形成することが好ましい。このように、カップ部を本来の乳房の位置よりも胸部の中央寄りとすることで、乳房を効果的に中央へ寄せることができる。
【００２９】
図３は、本考案に係るハーフトップのバスト部１およびＹ状連結部２を裏側から見た図である。図に示すように、本実施態様では、バスト部１の裏側にはメッシュ生地８が設けられている。このように、胸部の大半を覆うバスト部１の裏側をメッシュ生地８とすることにより、肌側の広い面積において通気性が良くなる。さらに、アンダー部５もメッシュ生地のため、肌触りもソフトになり、締め付け感も改善される。  
【産業上の利用可能性】
【００３０】
本考案のハーフトップは、その着丈を長くして、タンクトップやキャミソール状の形状に構成することもできる。
【符号の説明】
【００３１】
１  …  …  バスト部
２  …  …  Ｙ状連結部
３  …  …  後身頃
４  …  …  ストラップ
５  …  …  アンダー部
６  …  …  サイドボーン
７  …  …  アンダーベルト
８  …  …  メッシュ生地
１１  …  …  内側辺部
１２  …  …  袖袴部
１３  …  …  脇辺部
１４  …  …  下辺部
３１  …  …  襟刳部
３２  …  …  袖袴部
４１  …  …  襟刳部
４２  …  …  袖袴部
１０１  …  …カップ部
１０２  …  …土台部
Ｐ  …  …  カップ部中心
Ｌ１  …  …  バスト部の上端部から垂下する線    
θ１  …  …  バスト部の上端角度
θ２  …  …  Ｙ状連結部の襟刳の角度
【図１】
0003223516.tif 000003
【図２】
0003223516.tif 000004
【図３】
0003223516.tif 000005
【図４】
0003223516.tif 000006
【手続補正書】
【提出日】令和1年8月21日(2019.8.21)
【手続補正１】
【補正対象書類名】実用新案登録請求の範囲
【補正対象項目名】全文
【補正方法】変更
【補正の内容】
【実用新案登録請求の範囲】
【請求項１】
互いに独立して設けられた左右のバスト部の間に、該バスト部の内側辺部に沿って配置され、正面下端部から所定の高さまでは１本に形成され、所定の高さで左右のバスト部の内側辺部に沿って二股に分岐し、そのまま左右一対のストラップもしくは後身頃へと延伸するＹ状連結部を備えたハーフトップ。
【請求項２】
前記バスト部は、乳房を被覆するカップ部と、カップ部以外の土台部が一体に形成されていることを特徴とする請求項１に記載のハーフトップ。
【請求項３】
前記バスト部は、内側辺部と袖袴部とにより形成される上端角部が鋭角になるように形成されていることを特徴とする請求項１または２に記載のハーフトップ。
【請求項４】
前記バスト部の上端角度とＹ状連結部の襟刳の角度の比率において、１：１．２〜１：１．５の範囲となるように形成されたことを特徴とする請求項１ないし３のいずれかに記載のハーフトップ。    
【請求項５】
前記カップ部の中心の位置が、前記バスト部の上端部から垂下する線よりも胸部の中央寄りとなるように形成したことを特徴とする請求項２に記載のハーフトップ。
【請求項６】
前記バスト部の脇辺にはサイドボーンを設けたことを特徴とする請求項１ないし５のいずれかに記載のハーフトップ。